(57)【要約】【課題】建枠を使用した足場におけるコーナ部を容易に組立また解体できるようにする。【解決手段】一対の縦地２の上部に横地３を横架した門型の建枠１を前記横地３が互いに平行になるように対向させて配置し、それらの横地３の間に布板６を架け渡すとともに前記縦地２を筋交い５で連結した枠組足場のコーナユニットにおいて、前記建枠１の前記筋交い５で互いに連結されている縦地２同士の間に取り付けられるコーナバー７と、そのコーナバー７に対して立設した状態もしくは垂下した状態に取り付けられるコーナ支柱１４と、このコーナ支柱１４を前記コーナバー７の長手方向での中間部に連結するように前記コーナバー７に設けられた支柱連結部１０と、前記筋交い５を前記コーナ支柱１４に連結するように前記コーナ支柱１４に設けられたブレース連結部１５とを備えている。【選択図】図１
2009215844.tif 000002
【特許請求の範囲】
【請求項１】
一対の縦地の上部に横地を横架した門型の建枠を前記横地が互いに平行になるように対向させて配置し、それらの横地の間に布板を架け渡すとともに前記縦地を筋交いで連結した枠組足場のコーナユニットにおいて、
前記建枠の前記筋交いで互いに連結されている縦地同士の間に取り付けられるコーナバーと、
そのコーナバーに対して立設した状態もしくは垂下した状態に取り付けられるコーナ支柱と、
そのコーナ支柱を前記コーナバーの長手方向での中間部に連結するように前記コーナバーに設けられた支柱連結部と、
前記筋交いを前記コーナ支柱に連結するように前記コーナ支柱に設けられたブレース連結部と
を備えていることを特徴とする枠組足場のコーナユニット。
【請求項２】
前記支柱連結部は、前記コーナバーに摺動自在に嵌合させられかつコーナバー上の予め定められた所定の複数箇所に選択的に固定可能なスリーブと、そのスリーブに設けられた、前記コーナ支柱の端部を嵌合させる嵌合部とを備えていることを特徴とする請求項１に記載の枠組足場のコーナユニット。
【発明の詳細な説明】
【技術分野】
【０００１】
この発明は、ビルディングなどの構築物を建造する際に仮設される枠組足場に関し、特に足場を屈曲させて組み立てる際に使用するコーナユニットに関するものである。
【背景技術】
【０００２】
この種の足場として、いわゆる門型をなす建枠を対向させて配置し、その建枠を構成している縦地（あるいは縦桿部）同士を筋交いで連結し、さらに各建枠における横地（あるいは横桿部）の間に布板（あるいは足場板）を架け渡して一つの枠組を構成し、これを横方向および上下方向に必要数、連結したものが知られている。上記の建枠を使用する構成の足場においては、建枠を対向させる方向に繋ぐものであるから、横方向および上下方向に直線的に延びる構成となっている。
【０００３】
これに対して、構築物を取り囲むように足場を組み上げるのが一般的であるから、実際の足場には必ずコーナ部が生じる。そのため、コーナ部には上述した一組の枠組とは異なる特別の構成を採用する必要があり、その例が特許文献１ないし特許文献３に記載されている。これらの特許文献に記載されているコーナ部の構成は、直線状に組み立てられた一連の足場構成体の端部を、他の一連の足場構成体の端部側面に繋ぐように構成されている。
【０００４】
例えば特許文献１に記載された枠組足場は、互いに対向している建枠における横架材（いわゆる横地）に、足場板と平行に横桟を架け渡し、その横桟と平行に他の建枠を配置し、当該他の建枠における横架材と前記横桟との間にそれらの間の隙間を埋める渡し板を架け渡し、さらに前記横桟と一体に設けてある手摺りを、横桟に取り付けた支柱材と建枠との間に設けて構成されている。
【０００５】
また、特許文献２には、前記横桟と同様の構成のベースメンバーを設け、Ｌ型手摺りを連結メンバーによってベースメンバーに一体化させ、そのベースメンバーを一対の建枠における横架材に架け渡すとともに、Ｌ型手摺りを建枠における脚の部分（脚柱）に連結した構成が記載されている。なお、Ｌ型手摺りと脚柱との連結にネジ止め式の自在クランプを使用するようになっている。さらに、特許文献３には、特許文献２に記載された構成と同様の構成が記載されている。
【０００６】
【特許文献１】特開平１０−２３１６１８号公報
【特許文献２】特開平９−４９３１６号公報
【特許文献３】特開平８−２３２４６１号公報
【発明の開示】
【発明が解決しようとする課題】
【０００７】
上述したように、従来の足場の構成では、直線状に組み立てた一連の足場構成体における端部の建枠と、これに直交するように配置した一連の足場構成体における端部の建枠とを、互いに直交するように隣接して配置し、必要に応じてそれらの間に渡し板を架け渡している。したがって、それらの隣接する建枠同士を確実に連結するために、特許文献２の発明では手摺りを自在クランプで連結しており、また一般には自在クランプで直接連結することになる。
【０００８】
枠組足場は、多数の建枠や布板、筋交いを使用して構成するものであるから、作業性を向上させるために、フックによる引っ掛けやピンに対する嵌め込みなどの簡易に組み立てられる構成を採用しているのが一般的であり、これに対して上述した自在クランプを使用するとすれば、ねじ締め作業を必要する連結箇所が増大し、その数が多いことにより、足場の組立や解体のための作業工数が増大し、迅速な作業が阻害される不都合が生じる。
【０００９】
また、建枠同士の間に自在クランプが介在すると、その分、建枠同士の間に隙間が生じる。このような隙間をシートで覆い隠す必要があるが、シートの幅あるいは長さは、組み立てられた建枠同士の間隔の整数倍あるいは半分もしくは三分の一となっているのが一般的であるから、横に並べる建枠の数に合わせた枚数のシートでは、上記の隙間を覆い隠すことができず、また余分にシートを使用すれば、上記の隙間を覆い隠すことができるものの、そのシートの余りが過剰で、風ではためかないようにするなどの始末に手間が掛かる不都合が生じる。
【００１０】
この発明は上記の技術的課題に着目してなされたものであり、枠組足場のコーナの部分を容易に構成することができ、また余分な隙間が生じることのないコーナユニットを提供することを目的とするものである。
【課題を解決するための手段】
【００１１】
上記の目的を達成するために、請求項１の発明は、一対の縦地の上部に横地を横架した門型の建枠を前記横地が互いに平行になるように対向させて配置し、それらの横地の間に布板を架け渡すとともに前記縦地を筋交いで連結した枠組足場のコーナユニットにおいて、前記建枠の前記筋交いで互いに連結されている縦地同士の間に取り付けられるコーナバーと、そのコーナバーに対して立設した状態もしくは垂下した状態に取り付けられるコーナ支柱と、このコーナ支柱を前記コーナバーの長手方向での中間部に連結するように前記コーナバーに設けられた支柱連結部と、前記筋交いを前記コーナ支柱に連結するように前記コーナ支柱に設けられたブレース連結部とを備えていることを特徴とするものである。
【００１２】
また、請求項２の発明は、請求項１の発明において、前記支柱連結部は、前記コーナバーに摺動自在に嵌合させられかつコーナバー上の予め定められた所定の複数箇所に選択的に固定可能なスリーブと、そのスリーブに設けられた、前記コーナ支柱の端部を嵌合させる嵌合部とを備えていることを特徴とする枠組足場のコーナユニットである。
【発明の効果】
【００１３】
請求項１の発明によれば、互いに対向しかつ筋交いで連結されている建枠における脚柱に相当する縦地の間にコーナバーが取り付けられ、そのコーナバーの中間部に設けられた支柱連結部にコーナ支柱が立設させられ、あるいは下側に配置されているコーナ支柱の上端部が連結される。したがって、コーナバーは、建枠を一連に連結した直線状の構成体の側面もしくは側縁を縦地と共に形成し、また、コーナ支柱は、前記縦地の間に、各縦地と平行に配置されて、建枠を一連に連結した直線状の構成体の側面もしくは側縁を、縦地と共に形成する。したがって、横架材である横地が前記コーナバーと平行になるように他の建枠を配置し、そのコーナバーと当該他の建枠における横地とに足場板である布板を架け渡すことにより、屈曲した通路が形成される。すなわち、コーナバーが建枠における横地の機能を果たすので、前記他の建枠とコーナバーとの間隔、言い換えれば、９０度あるいはこれに近い角度で向きを異ならせて配置されている建枠同士の間隔が、前記筋交いで連結できる間隔となり、これらの建枠を自在クランプを使用せずに連結することができる。その結果、屈曲した足場を組み上げる作業や解体する作業が容易になり、また迅速に行うことが可能になり、さらに建枠同士の間に前記筋交いで繋ぐことのできない隙間が生じないので、足場用の一般的なシートもしくはこれに類するメッシュ材などで足場の外周の全体を覆うことが可能になる。
【００１４】
また、請求項２の発明によれば、コーナ支柱の位置を変更することができるので、布板や筋交いで連結される建枠の間隔と建枠の幅との比率が異なっている足場にも転用することができる。
【発明を実施するための最良の形態】
【００１５】
この発明に係るコーナユニットは、前述した従来の門型の建枠を使用して組み立てられる足場に利用されるものであって、建枠における横地（横架材）に替わるコーナバーと、建枠における縦地（脚柱）に替わるコーナ支柱とを主体として構成されている。図１はこの発明に係るコーナユニットを使用して構成したコーナ部を模式的に示しており、建枠１は、互いに平行に配置した二本の縦地２の上部を横地３で連結し、その横地３と各縦地２との間に補強部材４を取り付けた全体としていわゆる門型をなす枠材である。その建枠１は横地３が互いに平行になるように一定間隔に配置され、交差させて配置された筋交い（ブレース）５によって縦地２同士を連結することにより起立状態に保持される。またその状態で横地３の間に布板（足場板あるいはアンチ）６を配置してそれぞれの端部に設けたフック８を横地３に引っ掛けることにより、建枠１同士が連結されるとともに通路が形成される。
【００１６】
コーナ部においては、筋交い５および布板６によって連結されている建枠１の縦地２同士の間にコーナバー７が配置される。このコーナバー７の一例を図２の（ａ）、（ｂ）に示してあり、コーナバー７は縦地２とほぼ等しい太さでかつ縦地２同士の間隔とほぼ等しい長さ、あるいは僅かに短い長さのパイプ材であって、前記横地３に引っ掛けるフック８が両端部の側面に軸線方向に突出して設けられている。また、そのフック８と共に縦地２を挟み付けるプレート９がコーナバー７の両端部に設けられている。したがって、コーナバー７は、フック８が中心軸線から外れた側面に設けられているために、縦地２の中心を結んだ線上に配置されるものの、フック８を横地３に引っ掛けた状態でコーナバー７に上下方向の荷重が掛かるとコーナバー７にモーメントが生じる。しかしながら、フック８とプレート９とによって縦地２を挟み込んでいるので、コーナバー７に上下方向の荷重が作用しても、コーナバー７がフック８を中心に回転することはない。
【００１７】
なお、上記のプレート９に替えてフックを取り付けてもよい。その例を図３の（ａ）、（ｂ）に示してあり、図３の（ａ）に示す例は、同じ向きのフック８をコーナバー７の端部の左右両側面に取り付けた例であり、このような構成であれば、布板６に対してその左右両側のいずれにも使用することができるので、組み付け作業性が向上する。また、図３の（ｂ）に示す例は、上下方向の向きが互いに反対のフック８をコーナバー７の端部の左右両側面に取り付けた例であり、このような構成であれば、上下の向きがなくなるので、組み付け作業性が向上する。
【００１８】
さらに、コーナバー７は縦地２に直接連結するように構成してもよい。その場合、市販の単管パイプ組立用のパイプクランプもしくは鉄骨クランプ（それぞれ図示せず）を用いればよい。その場合、コーナバー７の両端部にフックなどの他の部材を取り付ける必要はない。
【００１９】
そして、コーナバー７の中間部の上下二箇所に支柱連結部が設けられている。この支柱連結部は縦地に替わるコーナ支柱を取り付けるためのものであって、前記フック８の向きで決まる上下両方向に向けてピン１０が突設され、これが支柱連結部となっている。なお、コーナバー７におけるピン１０の位置は、建枠１の幅が、筋交い５によって連結される建枠１の間隔の半分の場合には、コーナバー７の中央部であり、建枠１の幅が、筋交い５によって連結される建枠１の間隔の１／３の場合には、コーナバー７を三等分した位置である。言い換えれば、コーナバー７が取り付けられている建枠１における縦地２との間隔が、建枠１の幅と同じになる位置である。
【００２０】
なお、ピン１０はコーナバー７に直接取り付けずに、コーナバー７の軸線方向に移動できるように構成してもよい。その例を図４に模式的に示してあり、コーナバー７にスリーブ１１が移動自在に嵌合されており、そのスリーブ１１に上下二箇所にピン１０が取り付けられている。また、コーナバー７の側面（建枠１への取付状態での側面）には、長手方向での中心部とここから３０ｃｍごともしくは６０ｃｍごとの位置に貫通孔１２が形成され、これに一致する貫通孔１３がスリーブ１１に形成されている。したがって、各貫通孔１２，１３が一致する位置にスリーブ１１を移動させ、その貫通孔１２，１３に止めピン（図示せず）を挿入することにより、スリーブ１１およびこれに取り付けられているピン１０を位置決めし、かつ回り止めするように構成されている。このような構成であれば、建枠１の間隔に対する建枠１の幅が広狭に異なる足場にも転用でき、コーナバー７の汎用性を向上させることができる。なお、図４には、フック８に替えて単クランプＣによって縦地２に連結するように構成したコーナバー７の例を示してある。その単クランプＣは市販品でよく、例えば縦地２にネジ（図示せず）によって固定される本体部分にネジ軸を突設し、そのネジ軸を、コーナバー７の端部に取り付けたプレートＰに差し込んで、コーナバー７を縦地２同士の間でかつ横地３とほぼ同じ高さに保持するように構成してもよい。
【００２１】
上記のピン１０に取り付けられるコーナ支柱１４は、上下のコーナバー７を連結するためのものであって、一例として、前記コーナバー７と同様のパイプによって構成され、その長さは、上下に繋いだ建枠１における横地３同士の間隔程度に設定されている。図５の（ａ）、（ｂ）にコーナ支柱１４の一例を示してあり、このコーナ支柱１４の上端から所定寸法下がった位置、および下端から所定寸法上がった位置のそれぞれにブレース連結部が設けられている。このブレース連結部は、筋交いを連結するためのものであって、従来の建枠に設けられているものと同様に、抜け止めのためのキー（図示せず）を先端部に回転自在に取り付けたピン１５によって構成されている。なお、ピン１５は、四方向に等間隔に設けることが好ましく、このようにすれば、コーナ支柱１４の使用時における向きの制約が少なくなり、いわゆる右用および左用のいずれにも使用できる。
【００２２】
足場のコーナ部においては、上下に連結されている建枠１同士の間にコーナバー７が取り付けられる。その取付位置は、足場を延ばす方向の側面側、言い換えれば構造物（図示せず）側である。そのコーナバー７同士の間にコーナ支柱１４を配置し、前述した支柱連結部であるピン１０にコーナ支柱１１を嵌合させて固定する。このコーナ支柱１４およびこれに隣接する建枠１の縦地２に対して平行となるように他の建枠１（以下、仮に屈曲側建枠１と記すことがある）を配置し、この屈曲側建枠１における縦地２と前記建枠１（以下、仮に直線側建枠１と記すことがある）における縦地２、および屈曲側建枠１における他の縦地２とコーナ支柱１４とを筋交い５によって連結する。その連結は、各筋交い５の端部に形成されている連結用の貫通孔を各縦地２に設けられているピンおよびコーナ支柱１４に設けられているピン１５に嵌めることにより行うことができる。
【００２３】
なお、直線側建枠１の縦地２に設けられているピンは、筋交い５を取り付ける箇所に対して９０度向きが異なっている。したがって、直線側建枠１の縦地２とこれに隣接する屈曲側建枠１における縦地２とを連結する筋交い５は、図６に示すように、一方の連結部５ａはその筋交い５の延長方向に延び、ここに貫通孔を形成した構成であるのに対して、他方の連結部５ｂは９０度屈曲し、ここに貫通孔を形成したものを用いる。
【００２４】
また、コーナ支柱１４とこれに隣接する直線側建枠１の縦地２とは、他の箇所に用いる筋交い５の半分の長さ、もしくは２／３の長さの筋交い５を使用する。建築物の各部の寸法が３０ｃｍもしくは３ｃｍを単位としてその整数倍の寸法が多用されているのが通常であるからである。また、コーナ支柱１４と屈曲側建枠１における縦地２とは他の箇所に使用されている通常の筋交い５によって連結する。このように、コーナ支柱１４には９０度の角度を異ならせて二方向に突出したピン１５を設けてあることにより、二方向の筋交い５を連結することができる。
【００２５】
上記のようにコーナ支柱１４と屈曲側建枠１における縦地２とを連結する筋交い５は、建枠１を横方向に連結する一般的な筋交いであり、したがってコーナバー７とこれに対向するように平行に配置された屈曲側建枠１との間隔は、横方向に連続する建枠１同士の間隔と同じになる。したがって、横地３と同じ高さの位置に設けられているコーナバー７と屈曲側建枠１における横地３との間に布板６を引っ掛けて配置することができ、こうすることにより、屈曲した通路が形成される。
【００２６】
したがって、上述したこの発明に係るコーナユニットを用いれば、屈曲側建枠１を筋交い５および布板６によって連結することができるので、二つの建枠１を向きを変えて隣接して配置したり、それらを自在クランプで連結したりする必要がなくなり、それに伴って、用いる建枠１の数を少なくすることができるうえに、ねじ締めなどの作業工数を少なくでき、その結果、足場の組立や解体を容易かつ迅速に行うことが可能になる。また、コーナ部に余分な隙間が生じないので、足場の外周をシート材で覆う場合に、既存のシート材の寸法が足りなくなったり、そのために隙間が空いたりすることがなく、この点でも作業性が向上し、また必要とするシート材が多くなるなどの不都合を回避できる。
【００２７】
なお、この発明では、直角に曲がるコーナ部を形成する場合に限らず、直角より幾分大きい角度もしくは小さい角度のコーナ部を形成する場合にも用いることができる。これは、各連結部分に緩みもしくは隙間を設けておくことになり可能となる。また、コーナバー７とコーナ支柱１４との連結部に、従来一般に用いられている落下防止用のいわゆるＬ字フックなどを設けてもよい。
【図面の簡単な説明】
【００２８】
【図１】この発明に係るコーナユニットを使用した足場のコーナ部の模式図である。
【図２】そのコーナバーを示す正面図および平面図である。
【図３】そのコーナバーの端部に取り付けたフックの他の例を示す模式的な部分図である。
【図４】支柱連結部を移動自在に構成したコーナバーの例を示す正面図である。
【図５】コーナ支柱の一例を示す正面図である。
【図６】縦地に対する一方の連結部を折り曲げて形成してある筋交いの一例を示す正面図である。
【符号の説明】
【００２９】
１…建枠、  ２…縦地、  ３…横地、  ４…補強部材、  ５…筋交い（ブレース）、  ５ａ…連結部、  ５ｂ…連結部、  ６…布板（足場板あるいはアンチ）、  ７，８…フック、  ９…プレート、  １０…ピン、  １１…スリーブ、  １２，１３…貫通孔、  １４…コーナ支柱、  １５…ピン。
【図１】
2009215844.tif 000003
【図２】
2009215844.tif 000004
【図３】
2009215844.tif 000005
【図４】
2009215844.tif 000006
【図５】
2009215844.tif 000007
【図６】
2009215844.tif 000008